(57)【要約】【課題】ナビゲーションシステムなどの検索結果の利用の便宜を図ることができるようにする。【解決手段】検索条件を入力して検索ボタンを選択すると（ステップＳ９）、この受け付けた検索条件によりナビゲーションシステムで検索を実行する（ステップＳ１０）。この検索結果のデータは、所定のレイアウト上に取り込んで、ユーザが選択した所定の出力先（印刷する、電子メールに添付するなど）に出力する（ステップＳ１８）。この場合のレイアウトの選択は、機能選択画面でレイアウトの出力先を選択し（ステップＳ３）、検索結果の利用の目的（通常の目的か、出張に必要な情報を得るためか）を選択することで（ステップＳ６）、その選択に応じて複数種類のレイアウトから自動選択される。【選択図】    図７
2005020333.tif 000002
【特許請求の範囲】
【請求項１】
検索条件を受け付ける検索条件受付手段と、
この受け付けた検索条件により検索を実行し又は所定の検索エンジンに検索を実行させる検索手段と、
この検索結果のデータを所定のレイアウト上に取り込むレイアウト手段と、
所定の出力先に前記レイアウトのデータを出力する出力手段と、
１又は複数種類の条件の中から所望のものを選択するレイアウト受付手段と、この選択に応じて前記レイアウトを複数種類の中から選択するレイアウト選択手段と、を備えている情報処理装置。
【請求項２】
前記検索結果を取り込んだレイアウトのデータを出力する出力先について複数の出力先の中からの選択を受け付ける出力先受付手段を備え、前記レイアウト選択手段は、前記出力先を前記条件としてこの選択した出力先に応じて前記レイアウトの選択を行う、請求項１に記載の情報処理装置。
【請求項３】
前記レイアウト手段は、前記レイアウトに応じて前記取込みを行うデータの種類が異なる、請求項１又は２に記載の情報処理装置。
【請求項４】
検索条件を受け付ける検索条件受付処理と、
この受け付けた検索条件により検索を実行し又は所定の検索エンジンに検索を実行させる検索処理と、
この検索結果のデータを所定のレイアウト上に取り込むレイアウト処理と、
所定の出力先に前記レイアウトのデータを出力する出力処理と、
１又は複数種類の条件の中から所望のものを選択するレイアウト受付処理と、この選択に応じて前記レイアウトを複数種類の中から選択するレイアウト選択処理と、をコンピュータに実行させるコンピュータに読み取り可能なプログラム。
【請求項５】
前記検索結果を取り込んだレイアウトのデータを出力する出力先について複数の出力先の中からの選択を受け付ける出力先受付処理をコンピュータに実行させ、
前記レイアウト選択処理は、前記出力先を前記条件としてこの選択した出力先に応じて前記レイアウトの選択を行う、請求項４に記載のプログラム。
【請求項６】
前記レイアウト処理は、前記レイアウトに応じて前記取込みを行うデータの種類が異なる、請求項４又は５に記載のプログラム。
【請求項７】
請求項４〜６のいずれかの一に記載のプログラムを記憶している記憶媒体。
【発明の詳細な説明】
【０００１】
【発明の属する技術分野】
本発明は、検索の結果を選択した条件に応じたレイアウトに取り込むことができる情報処理装置、プログラム及び記憶媒体に関する。
【０００２】
【従来の技術】
特許文献１には、予め入力した出発地から目的地までの経路情報と必要な情報を含む経路案内図を作成して印刷する技術について開示している。
【０００３】
【特許文献１】
特開２００１−１１８１８０公報
【０００４】
【発明が解決しようとする課題】
出発地と目的地を入力することにより、その目的地までの鉄道路線などを検索するナビゲーションシステムが知られている。このようなナビゲーションシステムを用いることにより検索された情報は、印刷出力し、あるいは、電子メールに添付して送信するなど、さまざまな出力先に出力されて用いられる。また、一寸したお出かけのために利用する場合や、仕事の出張先までの経路を調べるために用いるなど、その用途もさまざまである。
【０００５】
よって、ナビゲーションシステムの検索結果として必要となる情報の種類や、利用可能なデータ量なども、条件によってさまざまであり、これらの条件に応じて適切なレイアウトを選択して検索結果を取り込んで出力することができれば、ナビゲーションシステムの検索結果の利用にとって便宜である。
【０００６】
本発明の目的は、ナビゲーションシステムなどの検索結果の利用の便宜を図ることができるようにすることである。
【０００７】
【課題を解決するための手段】
請求項１に記載の発明は、検索条件を受け付ける検索条件受付手段と、この受け付けた検索条件により検索を実行し又は所定の検索エンジンに検索を実行させる検索手段と、この検索結果のデータを所定のレイアウト上に取り込むレイアウト手段と、所定の出力先に前記レイアウトのデータを出力する出力手段と、１又は複数種類の条件の中から所望のものを選択するレイアウト受付手段と、この選択に応じて前記レイアウトを複数種類の中から選択するレイアウト選択手段と、を備えている情報処理装置である。
【０００８】
したがって、ナビゲーションシステムなどの検索を行って、その結果をユーザが指定した条件に応じたレイアウトに取り込んで出力することができるので、ナビゲーションシステムなどの検索結果の利用の便宜を図ることができる。
【０００９】
請求項２に記載の発明は、請求項１に記載の情報処理装置において、前記検索結果を取り込んだレイアウトのデータを出力する出力先について複数の出力先の中からの選択を受け付ける出力先受付手段を備え、前記レイアウト選択手段は、前記出力先を前記条件としてこの選択した出力先に応じて前記レイアウトの選択を行う。
【００１０】
したがって、印刷する、電子メールに添付して送信するなど検索結果の出力先に応じたレイアウトを選択することを可能として、ナビゲーションシステムなどの検索結果の利用の便宜を図ることができる。
【００１１】
請求項３に記載の発明は、請求項１又は２に記載の情報処理装置において、前記レイアウト手段は、前記レイアウトに応じて前記取込みを行うデータの種類が異なる。
【００１２】
したがって、条件に応じて異なるデータを取り込んで、ナビゲーションシステムなどの検索結果の利用の便宜を図ることができる。
【００１３】
請求項４に記載の発明は、検索条件を受け付ける検索条件受付処理と、この受け付けた検索条件により検索を実行し又は所定の検索エンジンに検索を実行させる検索処理と、この検索結果のデータを所定のレイアウト上に取り込むレイアウト処理と、所定の出力先に前記レイアウトのデータを出力する出力処理と、１又は複数種類の条件の中から所望のものを選択するレイアウト受付処理と、この選択に応じて前記レイアウトを複数種類の中から選択するレイアウト選択処理と、をコンピュータに実行させるコンピュータに読み取り可能なプログラムである。
【００１４】
したがって、ナビゲーションシステムなどの検索を行って、その結果をユーザが指定した条件に応じたレイアウトに取り込んで出力することができるので、ナビゲーションシステムなどの検索結果の利用の便宜を図ることができる。
【００１５】
請求項５に記載の発明は、請求項４に記載のプログラムにおいて、前記検索結果を取り込んだレイアウトのデータを出力する出力先について複数の出力先の中からの選択を受け付ける出力先受付処理をコンピュータに実行させ、前記レイアウト選択処理は、前記出力先を前記条件としてこの選択した出力先に応じて前記レイアウトの選択を行う。
【００１６】
したがって、印刷する、電子メールに添付して送信するなど検索結果の出力先に応じたレイアウトを選択することを可能として、ナビゲーションシステムなどの検索結果の利用の便宜を図ることができる。
【００１７】
請求項６に記載の発明は、請求項４又は５に記載のプログラムにおいて、前記レイアウト処理は、前記レイアウトに応じて前記取込みを行うデータの種類が異なる。
【００１８】
したがって、条件に応じて異なるデータを取り込んで、ナビゲーションシステムなどの検索結果の利用の便宜を図ることができる。
【００１９】
請求項７に記載の発明は、請求項４〜６のいずれかの一に記載のプログラムを記憶している記憶媒体である。
【００２０】
したがって、記憶しているプログラムにより請求項４〜６のいずれかの一に記載の発明と同様の作用、効果を奏することができる。
【００２１】
【発明の実施の形態】
本発明の一実施の形態について説明する。
【００２２】
本実施の形態は、情報処理装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるデジタルカラー複合機に適用した例を示す。
【００２３】
図１は、本実施の形態のデジタルカラー複合機１を含むシステム構成図である。図１に示すように、本実施の形態においては、デジタルカラー複合機１に通信ネットワークであるＬＡＮ（Ｌｏｃａｌ  Ａｒｅａ  Ｎｅｔｗｏｒｋ）２を介し、各種の情報処理を実行するサーバコンピュータ３や複数台のクライアントコンピュータ４が接続されたシステムを想定する。サーバコンピュータ３は、例えばＦＴＰ，ＨＴＴＰプロトコルをサポートしたり、ＷｅｂサーバやＤＮＳ（ドメインネームサーバ）の機能を実現するものである。すなわち、このシステムにおいては、デジタルカラー複合機１が備えている画像入力機能（スキャナ機能）、画像出力機能（プリント機能）及び画像蓄積機能等の画像処理機能を、ＬＡＮ２上でシェアし得る環境が構築されているものである。
【００２４】
このようなシステムは、通信制御ユニット５を介してインターネット網６に接続され、インターネット網６を介して外部環境とデータ通信可能に構築されている。通信制御ユニット５としては、ルータ、交換機、モデム、ＤＳＬモデム等が一般的であるが、最低限ＴＣＰ／ＩＰ通信が可能であればよい。また、ＬＡＮ２は有線通信に限るものではなく、無線通信（赤外線や電波等）であってもよい。
また、光ファイバーを用いたものであってもよい。
【００２５】
次に、デジタルカラー複合機１について説明する。ここで、図２はデジタルカラー複合機１を概略的に示す外観斜視図、図３はデジタルカラー複合機１の各部の電気的接続を示すブロック図である。図２に示すように、デジタルカラー複合機１は、転写紙などの媒体に画像を形成する画像形成装置である印刷装置７の上部に、原稿から画像を読み取る画像読取装置８を配設した構成とされている。また、画像読取装置８の装置外面には、オペレータに対する表示とオペレータからの機能設定等の各種の入力を許容する操作パネルＰが設けられている。さらに、操作パネルＰの下部には、光ディスク、フレキシブルディスクなどの記憶媒体Ｍ（図３参照）に記憶されているプログラムコードや画像データ等を読み取る、又は、記憶媒体Ｍに対してプログラムコードや画像データ等を書き込む装置である外部メディア入出力装置９が、記憶媒体Ｍの挿入を許容する挿入口を外部に露出させて設けられている。
【００２６】
このようなデジタルカラー複合機１のストラクチャとしては、図３に示すように、画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。
【００２７】
画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
【００２８】
印刷制御ユニット１１は、画像処理制御ユニット１０の制御に従って印刷装置７に対して画像データを含む印刷指示を出力し、印刷装置７に転写紙などの媒体に画像を形成して出力させる。印刷装置７はフルカラー印刷可能とされており、その印刷方式は、電子写真方式のほか、インクジェット方式、昇華型熱転写方式、銀塩写真方式、直接感熱記録方式、溶融型熱転写方式など、さまざまな方式を用いることができる。
【００２９】
画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Ｃｈａｒｇｅ  Ｃｏｕｐｌｅｄ  Ｄｅｖｉｃｅ））に集光して読み取り、Ａ／Ｄ変換してＲＧＢ各８ｂｉｔのデジタル画像データを生成する。
【００３０】
このような画像処理制御ユニット１０は、メインプロセッサであるＣＰＵ（Ｃｅｎｔｒａｌ  Ｐｒｏｃｅｓｓｉｎｇ  Ｕｎｉｔ）１３と、画像読取装置８から読み込んだ画像データを印刷装置７による作像に供すべく一旦格納しておくＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）１４と、制御プログラム等を記憶したＲＯＭ（Ｒｅａｄ  Ｏｎｌｙ  Ｍｅｍｏｒｙ）１５と、システムログ／システム設定／ログ情報等を記録しておく電源ＯＦＦ時にもデータの保持が可能なＮＶＲＡＭ１６と、をバス接続したマイクロコンピュータ構成とされている。
【００３１】
また、画像処理制御ユニット１０には、多量の画像データの蓄積やジョブ履歴等の記憶装置となるＨＤＤ（Ｈａｒｄ  Ｄｉｓｋ  Ｄｒｉｖｅ）１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、デジタルカラー複合機１は、遠隔のファクシミリ装置と交信することができる。
【００３２】
加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。また、操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。
【００３３】
したがって、画像処理ユニット部Ａは、従来の画像処理装置が備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。
【００３４】
このような構成により、画像処理ユニット部Ａは、外部（サーバコンピュータ３、クライアントコンピュータ４、ファクシミリ装置等）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。
【００３５】
また、画像処理ユニット部Ａは、ＳＤＲＡＭ１４やＨＤＤ１７に記憶されている印刷データ、原稿読取りデータ、これらを出力用に処理した出力画像データ、及び、それらを圧縮した圧縮データを外部（サーバコンピュータ３、クライアントコンピュータ４、ファクシミリ等）に転送することができる。
【００３６】
さらに、画像処理ユニット部Ａは、画像読取装置８の読取り画像データを画像処理制御ユニット１０に転送し、光学系及びデジタル信号への量子化に伴う信号劣化を補正し、該画像データをＳＤＲＡＭ１４に書込む。このようにしてＳＤＲＡＭ１４に格納された画像データは、印刷制御ユニット１１で出力画像データに変換されて、印刷装置７に出力される。
【００３７】
次に、操作パネルＰを備える情報処理ユニット部Ｂについて説明する。情報処理ユニット部Ｂは、一般にパーソナルコンピュータといわれるような情報処理装置に用いられる汎用のＯＳ（Ｏｐｅｒａｔｉｎｇ  Ｓｙｓｔｅｍ）によって制御されるマイクロコンピュータ構成とされている。情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳ（Ｏｐｅｒａｔｉｎｇ  Ｓｙｓｔｅｍ）やアプリケーションプログラムを記憶するＨＤＤ等の記憶装置３４に対するデータの入出力を制御する記憶装置制御ユニット３５とが、バス接続されている。
【００３８】
また、ＣＰＵ３１には、情報処理ユニット部Ｂを、ＨＵＢ１９を介してＬＡＮ２に接続するための通信インターフェースであるＬＡＮ制御部３３が接続されている。このＬＡＮ制御部３３に割り当てられるネットワークアドレスであるＩＰアドレスは、前述した画像処理ユニット部ＡのＬＡＮ制御部１８に割り当てられるＩＰアドレスとは異なるものである。すなわち、本実施の形態のデジタルカラー複合機１には、２つのＩＰアドレスが割り当てられていることになる。つまり、画像処理ユニット部Ａと情報処理ユニット部ＢとはそれぞれＬＡＮ２に接続されていることになり、画像処理ユニット部Ａと情報処理ユニット部Ｂとの間においてはデータ交換が可能な構成になっている。
【００３９】
なお、デジタルカラー複合機１はＨＵＢ１９を介してＬＡＮ２に接続されていることから、見かけ上は、１つのＩＰアドレスのみが割り当てられているように見える。したがって、美観を損ねることはなく、結線等の取り扱いを容易にすることが可能になっている。
【００４０】
さらに、ＣＰＵ３１には、操作パネルＰを制御する表示制御ユニット３６及び操作入力制御ユニット３７が接続されている。ここで、図４は操作パネルＰの構成を示す平面図である。図４に示すように、操作パネルＰは、例えばＬＣＤ（Ｌｉｑｕｉｄ  Ｃｒｙｓｔａｌ  Ｄｉｓｐｌａｙ）である表示装置４０と、操作入力装置４１とで構成されている。操作入力装置４１は、表示装置４０の表面に積層された超音波弾性波方式等のタッチパネル４１ａと、複数のキーを有するキーボード４１ｂとで構成されている。キーボード４１ｂには、画像読み取りの開始を宣言するためのスタートキー、数値入力を行うためのテンキー、読み取った画像データの送信先を設定する読取条件設定キー、クリアキー等が設けられている。すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるオペレータによる機能設定や入力操作に応じた入力制御信号を、制御パネルＩ／Ｆ３８を介して受信する。
【００４１】
加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。なお、詳細は後述するが、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。
【００４２】
上述したように記憶装置３４には、ＣＰＵ３１が実行するＯＳ（Ｏｐｅｒａｔｉｎｇ  Ｓｙｓｔｅｍ）やアプリケーションプログラムが格納されている。この意味で、記憶装置３４は、アプリケーションプログラムを記憶する記憶媒体として機能する。このデジタルカラー複合機１では、ユーザが電源を投入するとＣＰＵ３１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。情報処理ユニット部ＢのＯＳは、情報処理装置（サーバコンピュータ３やクライアントコンピュータ４等）と同種のＯＳ、すなわち汎用のＯＳ（例えば、Ｗｉｎｄｏｗｓ（登録商標）等）とされている。
【００４３】
なお、前述したように、本実施の形態のデジタルカラー複合機１には、ＯＳ、デバイスドライバや各種アプリケーションプログラム等の各種のプログラムコード（制御プログラム）や画像データ等を記憶した記憶媒体Ｍ、すなわち、フレキシブルディスク、ハードディスク、光ディスク（ＣＤ−ＲＯＭ，ＣＤ−Ｒ，ＣＤ−ＲＷ，ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷなど）、光磁気ディスク（ＭＯ）、半導体メディアなどの記憶媒体Ｍに記憶されているプログラムコードや画像データ等を読み取る、又は記憶媒体Ｍに対してプログラムコードや画像データ等を書き込む装置であるフレキシブルディスクドライブ装置、光ディスクドライブ装置、ＭＯドライブ装置、メディアドライブ装置等の外部メディア入出力装置９が搭載されている。このような外部メディア入出力装置９は、ＣＰＵ３１にバス接続されている入出力デバイス制御ユニット４２により制御される。
【００４４】
したがって、記憶装置３４に記憶されているアプリケーションプログラムは、この記憶媒体Ｍに記録されたアプリケーションプログラムがインストールされたものであってもよい。このため、記憶媒体Ｍも、アプリケーションプログラムを記憶する記憶媒体となり得る。さらには、アプリケーションプログラムは、例えばインターネット網６及びＬＡＮ２を介して外部から取り込まれ、記憶装置３４にインストールされてもよい。
【００４５】
なお、入出力デバイス制御ユニット４２には、ＵＳＢ，ＩＥＥＥ１３９４，ＳＣＳＩ等の各種インターフェース４３も接続されており、各種インターフェース４３を介して様々な機器（デジタルカメラ等）が接続可能とされている。
【００４６】
次に、デジタルカラー複合機１で実行する特徴的な処理の内容について説明する。この処理は、記憶媒体Ｍから外部メディア入出力装置９により読み取られ、記憶装置３４にインストールされる検索実行プログラムにより実行される。図５、図６は、かかる処理における操作画面の平面図であり、図７は、フローチャートである。
【００４７】
まず、表示装置４０に表示されるデジタルカラー複合機１のメニュー画面５１（図５（ａ））には、実行するメニューとしてファクシミリの実行を選択するＦＡＸボタン５２、コピーの実行を選択するコピーボタン５３、スキャナの実行を選択するスキャナボタン５４などの他に、検索実行プログラムにより地図ボタン５５が表示される。
【００４８】
図７に示すように、ユーザが地図ボタン５５を選択すると（ステップＳ１のＹ）、機能選択画面５６（図５（ｂ））が表示され（ステップＳ２）、後述の検索結果のデータを出力する出力先を選択することができる。すなわち、検索結果を電子メールに添付して送信することを選択するメールボタン５７、情報処理ユニット部Ｂに用意されている共有フォルダに保存することを選択する共有フォルダ送信ボタン５８、記憶装置３４へ保存することを選択する文書蓄積ボタン５９、ファクシミリで送信することを選択するＦＡＸ送信ボタン６０、印刷装置７での印刷を実行することを選択する印刷ボタン６１などが出力先選択画面５６に表示され、これらのいずれかのボタンを選択すると（レイアウト受付手段、レイアウト受付処理、出力先受付手段、出力先受付処理）（ステップＳ３のＹ）、そのボタンの機能が検索結果のデータの出力先として設定され（ステップＳ４）、次に、目的選択画面６２（図５（ｃ））が表示される（ステップＳ５）。
【００４９】
目的選択画面６２には、後述の検索結果のデータの利用として通常の場合に選択する通常ボタン６３、検索結果のデータを出張の目的で利用する場合に選択する出張目的ボタン６４が表示され、このいずれかのボタンを選択すると（レイアウト受付手段、レイアウト受付処理）（ステップＳ６のＹ）、そのボタンが表示する目的が設定され（ステップＳ７）、次に、検索条件入力画面６５（図５（ｄ））が表示装置４０に表示される（ステップＳ８）。
【００５０】
検索条件入力画面６５では、検索条件の入力を受け付ける。この例では、検索システムの一例として、出発地と目的地の駅名を入力すると、鉄道の経路や運賃などの情報を検索するナビゲーションシステムを示す。そこで、検索条件入力画面６５の出発地入力欄６６、目的地入力欄６７には、それぞれ出発地、目的地となる駅名を入力する（検索条件入力手段、検索条件入力処理）。そして、検索ボタン６８を選択すると（ステップＳ９のＹ）、検索が実行され、検索中であることを示す検索中表示画面７１（図６（ｅ））が表示される（検索手段、検索処理）（ステップＳ１０）。このナビゲーションシステムの検索エンジン、データベースは、検索実行プログラムに含まれていてもよいし、インターネット６のＷｅｂサイト上に用意されているものを利用してもよい。
【００５１】
検索が終了すると、検索結果表示画面７２（図６（ｆ））が表示される（ステップＳ１１）。ここでは、検索結果の候補が複数例、検索結果候補表示欄７３に表示され、このいずれかの検索結果候補表示欄７３を選択して、設定ボタン７４を選択すると（ステップＳ１２のＹ）、出力先選択画面５６でいずれかのボタンを選択したか（ステップＳ３）に応じて、異なる設定画面７５（図６（ｇ））が表示される（ステップＳ１３）。設定画面７５は、出力先選択画面５６で選択した出力先に前述の検索結果を出力する際の詳細を設定する画面であり、出力先により構成が異なる（図６（ｇ）の例は、印刷ボタン６１を選択した場合の画面例である）。
【００５２】
この設定画面７５では、検索結果を出力する場合の詳細を設定するが、例えば、印刷ボタン６１を選択したときは、印刷装置７で印刷を行うので、図６（ｇ）に示すように印刷に必要な設定を行うことができる。また、メールボタン５７を選択した場合には、検索結果を電子メールで送信する場合なので、送信の宛先、送信者、件名、本文などの電子メールの送信に必要なデータの入力設定を行うことができる。
【００５３】
そして、各設定画面７５でプレビューボタン７６を選択すると（ステップＳ１４のＹ）、出力先選択画面５６でいずれかのボタンを選択したか（ステップＳ３）、また、目的選択画面６２でいずれのボタンを選択したか（ステップＳ６）の２つの条件に応じてそれぞれ異なるレイアウトの画像にステップＳ１０の検索の結果のデータが取り込まれてプレビュー画面で表示される（レイアウト手段、レイアウト処理）（ステップＳ１５）。
【００５４】
図８〜図１１は、ステップＳ１４で表示されるプレビュー画面の例を示すものである。図８〜図１０は、印刷ボタン６１を選択した場合のプレビュー画面の例を示すもので、図８は、通常ボタン６３を選択した場合のレイアウトの画像８１のプレビュー画面である。このレイアウトでは、選択された検索結果候補表示欄７３の検索結果から、出発地、目的地の間の路線の経路、利用料金、所要時間、出発地、目的地の駅周辺の地図（この地図の画像データは、検索結果に含まれるデータではなく、検索実行プログラムに含まれるものを用いるか、あるいは、インターネット６上の所定のＷｅｂサイトから取得する。）などのデータを取り込んで表示する。
【００５５】
図９、図１０は、出張目的ボタン６４を選択した場合のレイアウトの画像８２，８３のプレビュー画面である。このレイアウトの画像８２，８３は、両面印刷の表面、裏面にそれぞれ表示される画像であり、表面ボタン８４、裏面ボタン８５の選択により、画面表示を切り替えることができる。図８のレイアウトと比較すると、両面印刷の裏面に表示されるレイアウトの画像８３が増え、このレイアウトの画像８３では、検索実行プログラム、あるいは、インターネット６上の所定のＷｅｂサイトから、時刻表、交通情報も取り込んで表示し、また、目的地の地図（地域情報地図）には、駅周辺のホテル、コンビニエンスストアなどの詳細情報が表示される。出張目的ボタン６４を選択するのは、ナビゲーション検索を目的地への出張のための情報を得るために行なう場合であるため、通常の場合（通常ボタン６３を選択した図８の場合）に比べて、検索結果などから取り込む情報の情報量、種類が多くなっている。
【００５６】
図１１は、メールボタン５７を選択した場合のレイアウト画像８６のプレビュー画面である。レイアウト画像８６には、図８、図９のレイアウト画像８１，８２の場合と同様に、出発地、目的地の間の路線の経路、利用料金、所要時間、出発地、目的地の駅周辺の地図などのデータを取り込むが、レイアウト画像８１，８２の場合と比べてデータ量を減らして（例えば、画像を小さくする、白黒にするなど）、電子メールでの送信に差し支えないようにしている。また、メールボタン５７を選択した場合においても、印刷ボタン６１を選択した場合のように、通常ボタン６３、出張目的ボタン６４の選択に応じてレイアウトを変更するようにしてもよい。
【００５７】
各プレビュー画面においては、戻るボタン８７を選択して（ステップＳ１６のＹ）、各設定画面７５に戻ることができる（ステップＳ１３）。そして、操作パネルＰでスタートキーを押下することにより（ステップＳ１７のＹ）、出力先選択画面５６、目的選択画面６２でのボタン選択に応じて異なる前述の例のようなレイアウトに前述の検索結果を取り込んだ画像が、出力先選択画面５６での選択に応じて出力される（出力手段、出力処理）（ステップＳ１８）。すなわち、印刷される、電子メールで送信される、等が実行される。
【００５８】
【発明の効果】
請求項１，４に記載の発明は、ナビゲーションシステムなどの検索を行って、その結果をユーザが指定した条件に応じたレイアウトに取り込んで出力することができるので、ナビゲーションシステムなどの検索結果の利用の便宜を図ることができる。
【００５９】
請求項２，５に記載の発明は、請求項１，４に記載の発明において、印刷する、電子メールに添付して送信するなど検索結果の出力先に応じたレイアウトを選択することを可能として、ナビゲーションシステムなどの検索結果の利用の便宜を図ることができる。
【００６０】
請求項３，６に記載の発明は、請求項１，２，４，５に記載の発明において、条件に応じて異なるデータを取り込んで、ナビゲーションシステムなどの検索結果の利用の便宜を図ることができる。
【００６１】
請求項７に記載の発明は、記憶しているプログラムにより請求項４〜６のいずれかの一に記載の発明と同様の作用、効果を奏することができる。
【図面の簡単な説明】
【図１】本発明の実施の一形態のデジタルカラー複合機を含むシステム構成図である。
【図２】デジタルカラー複合機を概略的に示す外観斜視図である。
【図３】デジタルカラー複合機の各部の電気的接続を示すブロック図である。
【図４】操作パネルの構成を示す平面図である。
【図５】操作画面の平面図である。
【図６】操作画面の平面図である。
【図７】デジタルカラー複合機が実行する処理のフローチャートである。
【図８】通常の場合に印刷を行う際のレイアウトのプレビュー画面である。
【図９】出張目的で印刷を行う際のレイアウトのプレビュー画面である。
【図１０】出張目的で印刷を行う際のレイアウトのプレビュー画面である。
【図１１】通常の場合に電子メールに添付する際のレイアウトのプレビュー画面である。
【符号の説明】
１    情報処理装置
Ｍ    記憶媒体
【図１】
2005020333.tif 000003
【図２】
2005020333.tif 000004
【図３】
2005020333.tif 000005
【図４】
2005020333.tif 000006
【図５】
2005020333.tif 000007
【図６】
2005020333.tif 000008
【図７】
2005020333.tif 000009
【図８】
2005020333.tif 000010
【図９】
2005020333.tif 000011
【図１０】
2005020333.tif 000012
【図１１】
2005020333.tif 000013